(57)【要約】【課題】本発明は光ディスク装置の光学ヘッドガイドロッド高さ調整機構に関し、部品点数の削減及び組み立て作業の効率化を図ることを課題とする。【解決手段】金属ベース板３３には、円柱形状の高さ調整部６４がアウトサート成形によって形成してある。高さ調整部６４は、中心線７０を中心に回動が可能である。高さ調整部６４は、上下二段のフランジ部６５ａ、６５ｂとこの間の傾斜している溝部６５ｃとよりなる高さ調整用カム６５を有する。ガイドロッド４１のＸ１側の端部４１ｂが溝部６５ｃに嵌合してありフランジ部６５ａ、６５ｂによって挟まれている。高さ調整部６４を適宜回動させると、ガイドロッド４１の端部４１ｂの高さが調整される。【選択図】        図２
2004199728.tif 000002
【特許請求の範囲】
【請求項１】
ベース上に、ディスクの情報を読み取るヘッドがガイドロッドに沿って移動可能に支持されている構造であるディスク装置において、
円柱形状であり、外周に該ガイドロッドを挟む高さ調整用カムを有する高さ調整部を、上記ベース上に回動が可能であるようにアウトサート成形して設けてなり、
該高さ調整部の高さ調整用カムが該ガイドロッドを挟んでおり、該高さ調整部が回動されると、該ガイドロッドが該高さ調整用カムによって挟まれて高さ位置を規制されつつ高さ位置を調整される構成としたことを特徴とするディスク装置。
【請求項２】
請求項１記載のディスク装置において、上記高さ調整部は、円周方向上所定の角度範囲部分に、上記高さ調整用カムを有しない領域を有する構成であることを特徴とするディスク装置。
【請求項３】
請求項１記載のディスク装置において、上記高さ調整部は、上記高さ調整用カムが、該ガイドロッドの端部を挟む構成としたことを特徴とするディスク装置。
【請求項４】
請求項１記載のディスク装置において、上記高さ調整部は、上記高さ調整用カムが該ガイドロッドの端部を挟み、且つ、該高さ調整用カムの底面が該ガイドロッドの端部の端面を係止する構成としたことを特徴とするディスク装置。
【発明の詳細な説明】
【０００１】
【発明の属する技術分野】
本発明はヘッドベースユニットに係り、特に光ディスク装置の一部をなす光学ヘッドベースユニットに関する。
【０００２】
【従来の技術】
光ディスク装置は光学ヘッドベースユニットを備えた構造となっている。光学ヘッドベースユニットは、光学ヘッドがベース上のガイドロッドに移動可能に支持されている構成である。ガイドロッドは、光学ヘッドがターンテブル上に支持されて回転するＣＤ−ＲＯＭ等の光ディスクと平行に移動するように高さが調整できる構成となっている。
【０００３】
図７（Ａ），（Ｂ），（Ｃ）は、従来の光学ヘッドベースユニットのガイドロッドの高さ調整機構を示す。この高さ調整機構は、圧縮コイルばね部材１０と調整用ねじ部材１１とを有する構成である。ガイドロッド２０はベース板２１上の圧縮コイルばね部材１０によってＺ１方向に押し上げられており、調整用ねじ部材１１のフランジ１１ａの下面に押し当っている。調整用ねじ部材１１はベース板２１にねじ込んである。ねじ回しを使用して調整用ねじ部材１１を締まる方向に回すと、ガイドロッド２０は押し下げされて高さが低い方向に調整され、調整用ねじ部材１１を弛める方向に回すとガイドロッド２０は高い方向に調整される。
【０００４】
【特許文献】
特開２００１−３４４７６７号公報
【０００５】
【発明が解決しようとする課題】
この高さ調整機構は圧縮コイルばね部材１０及び調整用ねじ部材１１を有する構成であるため、部品点数が多くなり、組み込み工数もかかっていた。
【０００６】
また、圧縮コイルばね部材１０の力はガイドロッド２０を押し上げると共にベース板２１をＺ２方向に押し、状況によってはクリープ変形が起きる虞れがあった。
【０００７】
そこで、本発明は、上記課題を解決したディスク装置を提供することを目的とする。
【０００８】
【課題を解決するための手段】
請求項１の発明は、ベース上に、ディスクの情報を読み取るヘッドがガイドロッドに沿って移動可能に支持されている構造であるディスク装置において、
円柱形状であり、外周に該ガイドロッドを挟む高さ調整用カムを有する高さ調整部を、上記ベース上に回動が可能であるようにアウトサート成形して設けてなり、
該高さ調整部の高さ調整用カムが該ガイドロッドを挟んでおり、該高さ調整部が回動されると、該ガイドロッドが該高さ調整用カムによって挟まれて高さ位置を規制されつつ高さ位置を調整される構成としたものである。
【０００９】
高さ調整用カムがガイドロッドを挟む構成は、ガイドロッドを押し上げるコイルばねを不要とする。高さ調整部がベース上に回動が可能であるようにアウトサート成形してある構成は、高さ調整部としての独立した部材を不要とする。
【００１０】
請求項２の発明は、請求項１記載のディスク装置において、上記高さ調整部は、円周方向上所定の角度範囲部分に、上記高さ調整用カムを有しない領域を有する構成としたものである。
【００１１】
高さ調整用カムを有しない領域は、ガイドロッドを高さ調整部に接近させて組み込むことを容易とする。
【００１２】
請求項３の発明は、請求項１記載のディスク装置において、上記高さ調整部は、上記高さ調整用カムが、該ガイドロッドの端部を挟む構成としたものである。
【００１３】
ガイドロッドの端部の角部が高さ調整用カムと係合することになって、高さ調整用カムがガイドロッドをその横側から挟む構成に比べて、高さ調整用カムがガイドロッドをしっかりと挟むことが可能となる。
【００１４】
請求項４の発明は、請求項１記載のディスク装置において、上記高さ調整部は、上記高さ調整用カムが該ガイドロッドの端部を挟み、且つ、該高さ調整用カムの底面が該ガイドロッドの端部の端面を係止する構成としたものである。
【００１５】
高さ調整用カムの底面がガイドロッドの端部の端面を係止することによって、ガイドロッドの軸方向のずれが制限される。
【００１６】
【発明の実施の形態】
図１は本発明の一実施例になる光ディスク装置３０を示す。光ディスク装置３０は、ハウジング３１の内部に光学ヘッドベースユニット３２が組み込んである構成である。光学ヘッドベースユニット３２は、金属ベース板３３上に、ターンテーブルモータ（図示せず）、このターンテーブルモータによって回転されるターンテーブル３４、光学ヘッド３５、光学ヘッド３５をＸ１−Ｘ２方向に移動させる光学ヘッド移動機構（図示せず）が設けてある構成である。
【００１７】
金属ベース板３３上には、ガイドロッド４０，４１がＸ１−Ｘ２方向に平行に設けてある。
【００１８】
光学ヘッド３５は、Ｙ１側の腕部３６をガイドロッド４０に支持され、Ｙ２側の腕部３７をガイドロッド４１に支持されており、光学ヘッド移動機構（図示せず）によって、ガイドロッド４０、４１に支持されて案内されつつ、Ｘ１−Ｘ２方向に移動されて、ターンテーブル３４に支持されて回転されるＣＤ−ＲＯＭ等の光ディスク５０が読み取られる。
【００１９】
ここで、金属ベース板３３には、アウトサート成形によってガイドロッド４０の両方の端部を支持する支持台６０，６１が形成してあり、且つ、ガイドロッド４１のＸ２側の端部４１ａを支持する支持台６２、ガイドロッド４１のＸ１側の端部の近くの部分４１ｃを支持する支持台６３、及びガイドロッド４１のＸ１側の端部４１ｂと係わり合う高さ調整部６４がアウトサート成形によって形成してある。高さ調整部６４がガイドロッド高さ調整機構を構成する。
【００２０】
図２は、ガイドロッド４１の支持状態を示す。図３（Ａ），（Ｂ），（Ｃ）は高さ調整部６４を示す。
【００２１】
図２に示すように、支持台６２は側面側に開口６２ａを有する形状である。ガイドロッド４１の端部４１ａが開口６２ａに嵌合してあり、ガイドロッド４１の端部４１ａの高さが決められている。
【００２２】
支持台６３はＺ１側が開口であるＵ字形状溝部６３ａを有する形状である。ガイドロッド４１の部分４１ｃがＵ字形状溝部６３ａ内に嵌合しており、ガイドロッド４１のＸ１側の端部４１ｂは、Ｙ１−Ｙ２方向上の位置を規制されつつ、Ｚ１−Ｚ２方向に変位可能である。
【００２３】
図２及び図３に示すように、高さ調整部６４は、円柱形状であり、Ｚ１端側が開口である円筒形状部６４ａを有し、その底板部６４ｂからＺ２方向に突き出ている繋ぎ部６４ｃが金属ベース板３３の穴３３ａを貫通しており、金属ベース板３３の下面側のフランジ部６４ｄと繋がっている。繋ぎ部６４ｃは、高さ調整部６４の中心線７０上に位置して、円柱形状であり、金属ベース板３３の穴３３ａは円形である。また、底板部６４ｂとフランジ部６４ｄとは、金属ベース板３３をきつく挟んでいる。よって、高さ調整部６４は、Ｚ１−Ｚ２方向へがたつくことなく、且つ倒れる方向へがたつくことなく、金属ベース板３３上に垂直にしっかり立っており、中心線７０を中心に回動可能である。また、回動はきつく、回動させた位置からは自由に回動しないようになっている。また、高さ調整部６４は、ガイドロッド４１のＸ１側の端部４１ｂに対向するように配置してある。
【００２４】
この円筒形状部６４ａの周囲の側面には、高さ調整用カム６５が形成してある。高さ調整用カム６５は、図３（Ｃ）に示すように同じ方向に水平に対して小さい角度α傾斜している上下二段の上側及び下側フランジ部６５ａ、６５ｂと、このフランジ部６５ａ、６５ｂの間の傾斜している溝部６５ｃとよりなる。フランジ部６５ａ、６５ｂ及び溝部６５ｃは螺旋の一部を構成する。６５ｄは溝部６５ｃの底面である。高さ調整用カム６５は、溝部６５ｃの幅ｗがガイドロッド４１の直径ｄと等しいかこれより僅かに小さい寸法である。また、フランジ部６５ａ、６５ｂは、円筒形状部６４ａの周方向上、同じ個所に、約１８０度に亘って形成してあり、円筒形状部６４ａのうち、直径方向上、高さ調整用カム６５と反対側は、円筒周側面部６６である。また、円筒形状部６４ａの底板部６４ａの上面には、ねじ回しの先端が嵌合する溝６７が形成してある。
【００２５】
なお、この高さ調整部６４は、図５に示すように、その円筒周側面部６６が支持台６３に対向した回動位置に位置している。
【００２６】
この高さ調整部６４は以下のように操作される。
【００２７】
ガイドロッド４１をそのＸ２側の端部４１ａを支持台６２の開口６２ａに嵌合させ、Ｘ１側の端部４１ｂの近くを支持台６３のＵ字形状溝部６３ａに嵌合させて、図５に示すようにセットする。このガイドロッド４１をセットする作業は、高さ調整用カム６５によって邪魔されることなく行われる。
【００２８】
次いで、ねじ回し（図示せず）を円筒形状部６４ａに差し込み、ねじ回しの先端を溝６７に嵌合させて約半回転させて高さ調整部６４を回動させる。この回動の途中で、溝部６５ｃをガイドロッド４１のＸ１側の端部４１ｂと嵌合させる。これによって、ガイドロッド４１の端部４１ｂがフランジ部６５ａ、６５ｂの間にきつく挟まれて高さ調整用カム６５と嵌合し、Ｚ１−Ｚ２方向の高さ位置を規制される。
【００２９】
ここで、溝部６５ｃがガイドロッド４１の端部４１ｂと嵌合する動作を、図６（Ａ），（Ｂ），（Ｃ）に示す。図６（Ａ），（Ｂ），（Ｃ）はガイドロッド４１の軸線方向よりみて、高さ調整部６４の高さ調整用カム６５がガイドロッド４１の端部に係わりあう状態を示す図である。同図に示すように、高さ調整部６４が回動されると、溝部６５ｃの入口部６５ｃ１がガイドロッド４１の円弧の部分４１ｅに近づいて、ガイドロッド４１に嵌合するため、ガイドロッド４１にその円弧の部分４１ｅが案内作用をして、溝部６５ｃのガイドロッド４１との嵌合は円滑に行われる。
【００３０】
また、溝部６５ｃとガイドロッド４１の端部４１ｂとが嵌合した状態では、図４に拡大して示すようになり、ガイドロッド４１の端部４１ｂの端面４１ｄとの角部４１ｆ，４１ｇがフランジ部６５ａ、６５ｂと係合されることになり、高さ調整用カム６５によるガイドロッド４１の端部４１ｂに対する高さ位置の規制は堅個である。
【００３１】
ねじ回しを操作して高さ調整部６４を矢印Ｃで示す時計方向に回動させると、ガイドロッド４１の端部４１ｂはＺ１方向に変位される。高さ調整部６４を矢印ＣＣで示す反時計方向に回動させると、ガイドロッド４１の端部４１ｂはＺ２方向に変位される。これによって、ガイドロッド４１は、端部４１ｂの近くを支持台６３によって案内されつつ、端部４１ａを中心に、端部４１ｂ側をＺ１−Ｚ２方向に変位されて、高さ位置を調整される。
【００３２】
ねじ回しを外すと、高さ調整部６４はその位置に固定され、ガイドロッド４１の端部４１ｂはフランジ部６５ａ、６５ｂによって高さ位置を規制されて、調整された高さ位置に固定される。
【００３３】
なお、ねじ回しの操作は、調整用の光ディスクを装着し、光学ヘッド３５をガイドロッド４０，４１に沿って移動させて調整用の光ディスクを読み取って、そのときのデータに基いて行われる。
【００３４】
また、ガイドロッド４１のＸ１側の端部４１ｂの端面４１ｄが、図３（Ｃ）に示すように、溝部６５ｃの底面６５ｄに当っており、軸線方向であるＸ１方向へのずれが制限されている。
【００３５】
なお、上記のガイドロッド４１の高さ位置調整機構は、光学ヘッド３５をガイドするガイドロッドに限らず、移動する磁気ヘッドをガイドするガイドロッドの高さ位置調整にも適用が可能である。
【００３６】
【発明の効果】
上述の如く、本発明によれば、円柱形状であり、外周に該ガイドロッドを挟む高さ調整用カムを有する高さ調整部を、ベース上に回動が可能であるようにアウトサート成形して設けてなり、高さ調整部の高さ調整用カムが該ガイドロッドを挟んでおり、高さ調整部が回動されると、ガイドロッドが該高さ調整用カムによって挟まれて高さ位置を規制されつつ高さ位置を調整される構成としたものであるため、高さ調整用カムがガイドロッドを挟む構成としたことによってガイドロッドを押し上げるコイルばねを不要とすることが出来、また、高さ調整部がベース上に回動が可能であるようにアウトサート成形したことによって高さ調整部としての独立した部材を不要とし得、従来に比べて部品点数を削減することが出来、且つ、コイルばねを組み込む作業及び高さ調整部材をねじ込んで取り付ける作業が不要となって、組み立ての作業効率を向上させることが出来、更には、コイルばねを組み込んでいないため、クリープ変形の虞れを無くすることが出来るという特長を有する。
【図面の簡単な説明】
【図１】本発明の一実施例になる光ディスク装置の平面図である。
【図２】図１中、ガイドロッド高さ調整機構を示す斜視図である。
【図３】図１中、ガイドロッド高さ調整機構を示す図である。
【図４】図３（Ｃ）中の一部を拡大して示す図である。
【図５】ガイドロッドをセットしたときの状態を示す斜視図である。
【図６】高さ調整用カムがガイドロッドに係合するときの状態を示す図である。
【図７】従来のガイドロッド高さ調整機構を示す図である。
【符号の説明】
３０  光ディスク装置
３２  光学ヘッドベースユニット
３３  金属ベース板
３３ａ  穴
３５  光学ヘッド
４０，４１  ガイドロッド
６４  高さ調整部
６４ａ  円筒形状部
６４ｃ  繋ぎ部
６４ｄ  フランジ部
６５  高さ調整用カム
６５ａ  上側フランジ部
６５ｂ  下側フランジ部
６５ｃ  溝部
６５ｄ  底面
６６  円筒周側面部
【図１】
2004199728.tif 000003
【図２】
2004199728.tif 000004
【図３】
2004199728.tif 000005
【図４】
2004199728.tif 000006
【図５】
2004199728.tif 000007
【図６】
2004199728.tif 000008
【図７】
2004199728.tif 000009